(57)【要約】【課題】受電装置の異常を、音声及びデータを混在した異常情報として外部通報することができない。【解決手段】受電装置３を監視する監視センサ部４の監視結果に基づいて受電装置３が異常であるか否かを判定する異常判定部６１と、受電装置が異常であると判定されると、その異常内容を認識する異常検出部６２と、異常内容データ及び異常内容音声を含む異常情報を生成する異常情報生成部６５と、この異常情報生成部にて生成した異常情報を、通信網５を通じて、みなし音声方式で集中管理センタ６及びＰＨＳ７に通報する異常情報通報部５０とを有している。【選択図】  図３
2004272836.tif 000002
【特許請求の範囲】
【請求項１】
受電装置の異常を検出する異常検出手段と、この異常検出手段にて検出した前記受電装置の異常内容に基づいて異常情報を生成する異常情報生成手段と、この異常情報生成手段にて生成した異常情報を外部通報する異常情報通報手段とを有する受電装置の異常監視通報装置であって、
前記異常情報生成手段は、
前記受電装置の異常内容に基づいて、異常内容データ及び異常内容音声を含む前記異常情報を生成し、
前記異常情報通報手段は、
前記異常情報生成手段にて生成した前記異常情報を、みなし音声方式で外部通報することを特徴とする受電装置の異常監視通報装置。
【請求項２】
前記異常情報生成手段は、
前記異常検出手段にて検出した前記受電装置の異常内容に基づいて、異常内容データを生成する異常内容データ生成手段と、
前記受電装置の異常内容に対応した異常内容音声を記憶した異常内容音声記憶手段と、
前記異常検出手段にて検出した前記受電装置の異常内容に対応する異常内容音声を前記異常内容音声記憶手段から読み出す異常内容音声生成手段とを有し、
前記異常内容データ生成手段にて生成した異常内容データ及び、前記異常内容音声生成手段にて読み出した異常内容音声を含む前記異常情報を生成することを特徴とする請求項１記載の受電装置の異常監視通報装置。
【請求項３】
前記異常情報通報手段は、
前記みなし音声方式で、前記異常情報を外部の集中管理センタ及び携帯電話機に外部通報することを特徴とする請求項１又は２記載の受電装置の異常監視通報装置。
【請求項４】
前記異常検出手段は、
前記受電装置の漏電を検出する漏電検出手段と、
前記受電装置の発熱温度の異常を検出する温度異常検出手段とを有することを特徴とする請求項１、２又は３記載の受電装置の異常監視通報装置。
【請求項５】
前記漏電検出手段にて前記受電装置の漏電を検出すると、この受電装置をＯＦＦする漏電リレーを駆動制御すると共に、前記温度異常検出手段にて前記受電装置の発熱温度の異常を検出すると、前記受電装置の発熱温度を調整する温度調整器を駆動制御する駆動制御手段を有することを特徴とする請求項４記載の受電装置の異常監視通報装置。
【発明の詳細な説明】
【０００１】
【発明の属する技術分野】
本発明は、例えば電力会社からの電力を受電する受電装置の漏電や発熱温度等を監視し、この監視結果に基づいて、この受電装置の漏電や温度等が異常であるか否かを判定し、異常であると判定されると、この異常を集中管理センタ等に通報する、例えば絶縁監視通報装置等の異常監視通報装置に関する。
【０００２】
【従来の技術】
従来、このような異常監視通報装置としては、監視対象の異常を検出する異常検出部と、この異常検出部にて検出した監視対象の異常を、有線の電話回線を通じて集中管理センタに通報する通報部とを備えたものがある。
【０００３】
しかしながら、このような異常監視通報装置としては、有線の電話回線で監視対象の異常を集中管理センタ等の外部に通報するようにしたが、有線の電話回線を敷設する場合には非常に手間がかかることから、近年ではＰＨＳ等の無線通信機能を利用して監視対象の異常を外部に通報する方法が提案されている（例えば特許文献１参照）。
【０００４】
特許文献１の異常監視通報装置によれば、エレベータの異常を監視する監視装置と、ＰＨＳ通信網を通じて、みなし音声方式で異常情報を集中管理センタに通報する通報部とを有し、監視装置にてエレベータの異常を検出すると、例えばインタフォンからの音声や異常内容データ等を含む異常情報を、みなし音声方式で集中管理センタに通報するようにしている。
【０００５】
従って、特許文献１によれば、みなし音声方式で異常情報を集中管理センタ等に外部通報するようにしたので、音声やデータが混在する異常情報であっても、集中管理センタに通報することができる。
【０００６】
【特許文献１】
特開２００２−２００４９号公報（段落番号「００１１」、図１参照）
【０００７】
【発明が解決しようとする課題】
しかしながら、このような従来の異常監視通報装置によれば、エレベータの異常を監視し、このエレベータの異常をみなし音声方式で集中管理センタに通報するようにしたが、受電装置の異常監視という技術分野においては、受電装置の異常を監視し、この異常内容をデータ形式でのみ集中管理センタに通報するようなＰＩＡＦＳ方式を採用したものはあるものの、このＰＩＡＦＳ方式では、異常内容を音声で通報することができず、受電装置の異常を音声及びデータを混在した異常情報として、音声みなし方式で外部通報する技術は未だ開示されていないのが実情である。
【０００８】
本発明は上記点に鑑みてなされたものであり、その目的とするところは、受電装置の異常を監視し、この異常を音声及びデータが混在した異常情報として外部通報することができる受電装置の異常監視通報装置を提供することにある。
【０００９】
【課題を解決するための手段】
上記目的を達成するために本発明の受電装置の異常監視通報装置は、受電装置の異常を検出する異常検出手段と、この異常検出手段にて検出した前記受電装置の異常内容に基づいて異常情報を生成する異常情報生成手段と、この異常情報生成手段にて生成した異常情報を外部通報する異常情報通報手段とを有する受電装置の異常監視通報装置であって、前記異常情報生成手段は、前記受電装置の異常内容に基づいて、異常内容データ及び異常内容音声を含む前記異常情報を生成し、前記異常情報通報手段は、前記異常情報生成手段にて生成した前記異常情報を、みなし音声方式で外部通報するようにした。
【００１０】
従って、本発明の受電装置の異常監視通報装置によれば、受電装置の異常を検出し、この異常内容を音声（異常内容音声）及びデータ（異常内容データ）が混在した異常情報として、みなし音声方式で外部通報するようにしたので、受電装置の異常が発生したとしても、その受電装置の異常をデータだけでなく、音声でも外部に通報することができる。
【００１１】
本発明の受電装置の異常監視通報装置は、前記異常情報生成手段が、前記異常検出手段にて検出した前記受電装置の異常内容に基づいて、異常内容データを生成する異常内容データ生成手段と、前記受電装置の異常内容に対応した異常内容音声を記憶した異常内容音声記憶手段と、前記異常検出手段にて検出した前記受電装置の異常内容に対応する異常内容音声を前記異常内容音声記憶手段から読み出す異常内容音声生成手段とを有し、前記異常内容データ生成手段にて生成した異常内容データ及び、前記異常内容音声生成手段にて読み出した異常内容音声を含む前記異常情報を生成するようにした。
【００１２】
従って、本発明の受電装置の異常監視通報装置によれば、異常内容をデータだけでなく、音声をも含めた異常情報として外部通報するようにしたので、この外部通報の受信側の端末に表示機能を備えていれば、当然、その異常内容を表示データで視覚的に認識することができ、受信側の端末に表示機能がなくても、受話機能さえ備えていれば、その異常内容を音声で聴覚的に認識することができる。
【００１３】
本発明の受電装置の異常監視通報装置は、前記異常情報通報手段が、前記みなし音声方式で、前記異常情報を外部の集中管理センタ及び携帯電話機に外部通報するようにした。
【００１４】
従って、本発明の受電装置の異常監視通報装置によれば、みなし音声方式で、異常情報を集中管理センタ及び携帯電話機に通報するようにしたので、その異常情報の内容を集中管理センタだけでなく、例えば保守管理者等の携帯電話機に通報することで、受電装置の異常に迅速に対応することができる。
【００１５】
本発明の受電装置の異常監視通報装置は、前記異常検出手段が、前記受電装置の漏電を検出する漏電検出手段と、前記受電装置の発熱温度の異常を検出する温度異常検出手段とを有するようにした。
【００１６】
従って、本発明の受電装置の異常監視通報装置によれば、受電装置の漏電を検出する漏電検出手段と、前記受電装置の発熱温度の異常を検出する温度異常検出手段とを有するようにしたので、受電装置の漏電や発熱温度の異常を外部に通報することができる。
【００１７】
本発明の受電装置の異常監視通報装置は、前記漏電検出手段にて前記受電装置の漏電を検出すると、この受電装置をＯＦＦする漏電リレーを駆動制御すると共に、前記温度異常検出手段にて前記受電装置の発熱温度の異常を検出すると、前記受電装置の温度を調整する温度調整器を駆動制御する駆動制御手段を有するようにした。
【００１８】
従って、本発明の受電装置の異常監視通報装置によれば、前記受電装置の漏電を検出すると、前記受電装置をＯＦＦする漏電リレーを駆動制御すると共に、前記受電装置の発熱温度の異常を検出すると、前記受電装置の温度を調整する温度調整器を駆動制御するようにしたので、受電装置の漏電や発熱温度の異常が発生したとしても、自動的に、その異常を解消することができる。
【００１９】
【発明の実施の形態】
以下、図面に基づいて本発明の受電装置の異常監視通報装置に関わる実施の形態を示す受電監視通報システムについて説明する。図１は本発明の実施の形態を示す受電監視通報システム内部の概略構成を示すブロック図である。
【００２０】
図１に示す受電監視通報システム１は、電力会社２からの電力を受電する受電装置３と、受電装置３を監視する監視センサ部４と、この監視センサ４の監視結果に基づいて、受電装置３が異常であるか否かを判定し、受電装置３が異常であると判定されると、この異常内容を異常情報として通信網５を通じて集中管理センタ６及びＰＨＳ７に通報する絶縁監視通報装置８とを有している。
【００２１】
受電装置３は、電力会社２からの電力を所定電圧に変圧する受電トランス１１と、この受電トランス１１をＯＦＦする漏電リレー１２と、受電装置３内部の発熱温度を適正温度に調整する温度調整器１３とを有している。
【００２２】
監視センサ部４は、受電装置３の漏電を検出する零相変流器（以下、単にＺＣＴと称する）２１と、受電装置３の発熱温度を検出する温度センサ２２と、例えば漏電リレー１２の接点情報等の外部イベントを監視する外部入力センサ２３とを有している。
【００２３】
集中管理センタ６は、通信網５を通じて、絶縁監視通報装置８からの異常情報を、みなし音声方式で受信し、このみなし音声方式の異常情報を復号化するセンタ側モデム３１と、このセンタ側モデム３１にて復号化した異常情報を表示出力する表示機能を備えた保守端末３２とを有している。
【００２４】
ＰＨＳ７は、通信網５を通じて、絶縁監視通報装置８からの異常情報をみなし音声方式で受信し、このみなし音声方式の異常情報を音声出力する受話機能を備えたものである。
【００２５】
図２は絶縁監視通報装置８内部の概略構成を示すブロック図である。
【００２６】
図２に示す絶縁監視通報装置８は、電力供給源である電源回路４１と、この電源回路４１を充放電する充放電回路４２と、絶縁監視通報装置８自体へ一定の電力を供給する定電源回路４３と、外部からのＤＴＭＦ信号を認識するＤＴＭＦ認識部４４と、様々な情報を記憶するフラッシュメモリ４５と、音声の録音及び再生を行う音声ＬＳＩ４６と、受電装置３内の漏電リレー１２及び温度調整器１３を駆動制御する駆動制御回路４７と、監視センサ部４の監視結果を入力する監視結果入力部４８と、この監視結果入力部４８にて入力した監視結果に基づいて、受電装置３の異常を判定し、その異常内容を認識すると共に、この絶縁監視通報装置８全体を制御する中央制御装置（以下、単にＣＰＵと称する）４９と、このＣＰＵ４９が受電装置３の異常内容を認識すると、通信網５を通じて異常情報をみなし音声方式で外部通報する異常情報通報部５０と、例えば受電装置３の漏電異常を認識するための漏電設定値や、受電装置３の発熱温度異常を認識するための温度設定値等を設定するための設定操作部５１とを有している。
【００２７】
監視結果入力部４８は、監視センサ部４のＺＣＴ２１からの監視結果を入力するＺＣＴ入力部４８Ａと、監視センサ部４の温度センサ２２からの監視結果を入力する温度センサ入力部４８Ｂと、監視センサ部４の外部入力センサ２３からの監視結果を入力する外部入力部４８Ｃとを有している。
【００２８】
音声ＬＳＩ４６は、受電装置３の異常内容に対応した異常内容音声、例えば「受電装置が漏電異常です」といった音声内容が録音されているものとする。
【００２９】
異常情報通報部５０は、様々な情報を液晶表示するＬＣＤ７１と、様々な情報を点灯表示するＬＥＤ７２と、警報音を音声出力する警報ブザー７３と、後述する異常情報を、みなし音声方式に変換するモデムＩＣ７４と、このモデムＩＣ７４にてみなし音声方式に変換された異常情報を、通信網５を通じて、みなし音声方式で外部通報するみなし音声方式通信部７５とを有している。
【００３０】
ＣＰＵ４９は、通信網５を通じて外部からＤＴＭＦ信号を受信すると、ＤＴＭＦ認識部４４を通じてＤＴＭＦ信号を認識し、この認識結果に基づいて、設定内容の変更を行うものとする。
【００３１】
図３は絶縁監視通報装置８内部の要部であるＣＰＵ４９内部の概略構成を示すブロック図である。
【００３２】
図３に示すＣＰＵ４９は、監視結果入力部４８にて監視結果を検出すると、この監視結果が異常であるか否かを判定する異常判定部６１と、この異常判定部６１にて監視結果が異常であると判定されると、受電装置３の異常内容を認識する異常検出部６２と、この異常検出部６２にて受電装置３の異常内容を認識すると、この異常内容に対応した異常内容音声を音声ＬＳＩ４６から読み出す異常内容音声読出部６３と、異常検出部６２にて受電装置３の異常内容を認識すると、この異常内容に対応した異常内容データを生成する異常内容データ生成部６４と、異常内容音声読出部６３にて読み出した異常内容音声及び異常内容データ生成部６４にて生成した異常内容データを異常情報とし、この異常情報を異常情報通報部５０に伝送する異常情報生成部６５とを有している。
【００３３】
異常判定部６１は、監視結果入力部４８の監視結果の現在値と、設定操作部５１にて予め設定した設定値とを比較し、この監視結果が異常であるか否かを判定するものである。
【００３４】
異常検出部６２は、異常判定部６１の監視結果毎の判定結果に基づいて受電装置３の異常内容を認識するものであり、例えばＺＣＴ２１の監視結果が異常であるとの判定結果を得ると、受電装置３に漏電異常が発生したとの異常内容を認識するものである。
【００３５】
尚、異常内容音声読出部６３にて読み出す異常内容音声は音声であり、異常内容データ生成部６３にて生成する異常内容データは、例えば異常内容を画面上に表示する表示データ等に相当するものである。
【００３６】
図４は本実施の形態に関わる絶縁監視通報装置８の外観構成を示す正面図である。
【００３７】
図４に示す絶縁監視通報装置８は、ＬＣＤ７１と、ＬＥＤ７２と、設定操作部５１とを有し、ＬＥＤ７２は、電源ＯＮ／ＯＦＦ状態を識別表示する電源ＬＥＤ７２Ａと、受電装置３を監視中であることを識別表示する監視中ＬＥＤ７２Ｂと、異常通報中であることを識別表示する通信中ＬＥＤ７２Ｃと、異常発生の有無を識別表示する入力ＬＥＤ７２Ｄとを有している。尚、この絶縁監視通報装置８は、例えば計２個の漏電監視、計２個の発熱温度監視、計４個の外部イベント監視を行うものである。
【００３８】
ＬＣＤ７１は、現在の状態表示、異常内容表示や設定内容表示等の様々な情報を表示するものである。
【００３９】
設定操作部５１は、異常判定部６１にて比較する設定値、例えば漏電異常と判断するための漏電設定値を設定する、計２個の漏電異常設定操作部５１Ａと、発熱温度異常と判断するための温度設定値を設定する、計２個の温度異常設定操作部５１Ｂとを有している。
【００４０】
尚、請求項記載の異常監視通報装置は絶縁監視通報装置８、異常検出手段は異常判定部６１及び異常検出部６２、異常情報生成手段は異常情報生成部６５、異常情報通報手段は異常情報通報部５０、異常内容データ生成手段は異常内容データ生成部６４、異常内容音声記憶手段は音声ＬＳＩ４６、異常内容音声生成手段は異常内容音声読出部６３、携帯電話機はＰＨＳ７、漏電検出手段はＺＣＴ２１、温度異常検出手段は温度センサ２２、駆動制御手段は駆動制御回路４７に相当するものである。
【００４１】
次に本実施の形態を示す受電監視通報システム１の動作について説明する。図５は本実施の形態における絶縁監視通報装置８の異常監視通報処理に関わるＣＰＵ４９内部の処理動作を示すフローチャートである。
【００４２】
図５に示す異常監視通報処理は、受電装置３の監視結果に基づいて異常を検出すると、この異常内容に基づいて、異常内容音声及び異常内容データを含む異常情報を生成し、この異常情報を、みなし音声方式で外部通報する処理である。
【００４３】
図５においてＣＰＵ４９の異常判定部６１は、監視結果入力部４８を通じて監視結果を入力すると、この監視結果毎に現在値と、設定操作部５１にて予め設定した設定値とを比較し、その比較結果が異常レベルであるか否かを判定する（ステップＳ１１）。
【００４４】
異常検出部６２は、異常判定部６１にて比較結果が異常レベルであると判定されると、この監視結果の異常内容を認識し、この異常内容に対応した警報出力及び異常表示出力処理を実行する（ステップＳ１２）。尚、警報出力及び異常表示出力処理とは、受電装置３の異常発生を通知すべく、警報ブザー７３を鳴動出力すると共に、その異常内容をＬＣＤ７１に表示し、その異常発生を報知すべく、入力ＬＥＤ７２Ｄを点灯表示するものである。
【００４５】
異常内容データ生成部６４は、異常検出部６２にて受電装置３の異常内容を認識すると、この異常内容に対応した異常内容データを生成する（ステップＳ１３）。
【００４６】
異常内容音声読出部６３は、異常検出部６２にて受電装置３の異常内容を認識すると、この異常内容に対応した異常内容音声を音声ＬＳＩ４６から読み出す（ステップＳ１４）。
【００４７】
異常情報生成部６５は、異常内容データ生成部６４にて生成した異常内容データ及び異常内容音声読出部６３にて読み出した異常内容音声を異常情報とし（ステップＳ１５）、異常情報通報部５０のモデムＩＣ７４を通じて、この異常情報をみなし音声方式に変換する（ステップＳ１６）。
【００４８】
異常情報通報部５０のみなし音声方式通信部７５は、みなし音声方式に変換した異常情報を、通信網５を通じて集中管理センタ６及びＰＨＳ７に外部通報することで（ステップＳ１７）、この処理動作を終了する。
【００４９】
ステップＳ１１にて比較結果が異常レベルでないと判定されると、受電装置３は正常であると判断し、この処理動作を終了する。
【００５０】
図５に示す異常監視通報処理によれば、受電装置３の異常を認識すると、この異常内容に対応した異常内容データ及び異常内容音声を含む異常情報を生成し、この異常情報を、みなし音声方式で集中管理センタ６及びＰＨＳ７に外部通報するようにしたので、音声及びデータが混在した異常情報を集中管理センタ６及びＰＨＳ７双方に通報することができる。
【００５１】
集中管理センタ６では、絶縁監視通報装置８から、みなし音声方式の異常情報を、通信網５を通じて受信すると、センタ側モデム３１を通じて、異常情報を復号化することで、この異常情報を保守端末３２の表示機能に表示させる。そして、保守端末３２のユーザは、表示機能の表示内容に基づいて受電装置３の異常内容を視覚的に認識することができる。
【００５２】
ＰＨＳ７では、絶縁監視通報装置８から、みなし音声方式の異常情報を、通信網５を通じて受信すると、この異常情報に含まれる異常内容音声を音声出力する。そして、ＰＨＳ７のユーザは、その異常内容音声に基づいて受電装置３の異常内容を聴覚的に認識することができる。
【００５３】
また、絶縁監視通報装置８のＣＰＵ４９は、図５の異常監視通報処理のステップＳ１１にて受電装置３の異常を認識すると、ステップＳ１２にて、その異常を報知すべく、警報出力及び表示出力処理を実行するが、これと同時に、その異常内容を解消すべく、駆動制御回路４７の起動を開始する。
【００５４】
駆動制御回路４７は、起動を開始すると、その異常内容が、例えば受電装置３の漏電異常と判断すると、受電装置３を停止すべく、漏電リレー１２を駆動制御する。また同様に、駆動制御回路４７は、その異常内容が、例えば受電装置３の発熱温度異常と判断すると、受電装置３の発熱温度を適正温度に調整すべく、温度調整器１３を駆動制御するものである。
【００５５】
本実施の形態によれば、受電装置３の異常を検出し、この異常内容を音声（異常内容音声）及びデータ（異常内容データ）を混在した異常情報として、みなし音声方式で外部通報するようにしたので、例えば漏電や発熱温度異常等、受電装置３の異常が発生したとしても、その受電装置３の異常をデータだけでなく音声でも、外部に通報することができる。
【００５６】
本実施の形態によれば、異常内容をデータだけでなく、音声をも含めた異常情報として外部通報するようにしたので、この外部通報の受信側の端末に表示機能を備えていれば（例えば保守端末３２）、当然、その異常内容を表示データで視覚的に認識することができ、受信側の端末に表示機能がなくても、受話機能さえ備えていれば（例えばＰＨＳ７）、その異常内容を音声で聴覚的に認識することができる。
【００５７】
本実施の形態によれば、みなし音声方式で、異常情報を集中管理センタ６及びＰＨＳ７に通報するようにしたので、その異常情報の内容を集中管理センタ６だけでなく、例えば保守管理者等のＰＨＳ７に通報することで、保守管理者等が外出先からでも、受電装置３の異常に迅速に対応することができる。
【００５８】
本実施の形態によれば、受電装置３の漏電異常を検出すると、受電装置３をＯＦＦする漏電リレー１２を駆動制御すると共に、受電装置３の発熱温度の異常を検出すると、受電装置３の温度を調整する温度調整器１３を駆動制御するようにしたので、受電装置３の漏電や発熱温度の異常が発生したとしても、自動的に、その異常に対処することができる。
【００５９】
尚、上記実施の形態においては、絶縁監視通報装置８にて受電装置３の異常を検出すると、音声及びデータが混在した異常情報をみなし音声方式で集中管理センタ６及びＰＨＳ７に外部通報するようにしたが、監視結果入力部４８にて外部イベントに関わる情報を入力すると、その異常の有無に関わらず、この情報をみなし音声方式で集中管理センタ６及びＰＨＳ７に外部通報するようにしても良いことは言うまでもない。
【００６０】
【発明の効果】
上記のように構成された本発明の受電装置の異常監視通報装置によれば、受電装置の異常を検出し、この異常内容を音声（異常内容音声）及びデータ（異常内容データ）が混在した異常情報として、みなし音声方式で外部通報するようにしたので、受電装置の異常が発生したとしても、その受電装置の異常をデータだけでなく、音声でも外部に通報することができる。
【００６１】
本発明の受電装置の異常監視通報装置によれば、異常内容をデータだけでなく、音声をも含めた異常情報として外部通報するようにしたので、この外部通報の受信側の端末に表示機能を備えていれば、当然、その異常内容を表示データで視覚的に認識することができ、受信側の端末に表示機能がなくても、受話機能さえ備えていれば、その異常内容を音声で聴覚的に認識することができる。
【００６２】
本発明の受電装置の異常監視通報装置によれば、みなし音声方式で、異常情報を集中管理センタ及び携帯電話機に通報するようにしたので、その異常情報の内容を集中管理センタだけでなく、例えば保守管理者等の携帯電話機に通報することで、受電装置の異常に迅速に対応することができる。
【００６３】
本発明の受電装置の異常監視通報装置によれば、受電装置の漏電を検出する漏電検出手段と、前記受電装置の発熱温度の異常を検出する温度異常検出手段とを有するようにしたので、受電装置の漏電や発熱温度の異常を外部に通報することができる。
【００６４】
本発明の受電装置の異常監視通報装置によれば、前記受電装置の漏電を検出すると、前記受電装置をＯＦＦする漏電リレーを駆動制御すると共に、前記受電装置の発熱温度の異常を検出すると、前記受電装置の温度を調整する温度調整器を駆動制御するようにしたので、受電装置の漏電や発熱温度の異常が発生したとしても、自動的に、その異常を解消することができる。
【図面の簡単な説明】
【図１】本発明の受電装置の異常監視通報装置に関わる実施の形態を示す受電監視通報システム内部の概略構成を示すブロック図である。
【図２】本実施の形態を示す受電監視通報システム内部の絶縁監視通報装置内部の概略構成を示すブロック図である。
【図３】本実施の形態に関わる絶縁監視通報装置の要部であるＣＰＵ内部の概略構成を示すブロック図である。
【図４】本実施の形態に関わる絶縁監視通報装置の外観構成を示す正面図である。
【図５】本実施の形態に関わる絶縁監視通報装置の異常監視通報処理に関わるＣＰＵの処理動作を示すフローチャートである。
【符号の説明】
３  受電装置
５  通信網
６  集中管理センタ
７  ＰＨＳ（携帯電話機）
８  絶縁監視通報装置（異常監視通報装置）
２１  零相変流器（ＺＣＴ：漏電検出手段）
２２  温度センサ（温度異常検出手段）
４６  音声ＬＳＩ（異常内容音声記憶手段）
４７  駆動制御回路（駆動制御手段）
５０  異常情報通報部（異常情報通報手段）
６１  異常判定部（異常検出手段）
６２  異常検出部（異常検出手段）
６３  異常内容音声読出部（異常内容音声生成手段）
６４  異常内容データ生成部（異常内容データ生成手段）
６５  異常情報生成部（異常情報生成手段）
【図１】
2004272836.tif 000003
【図２】
2004272836.tif 000004
【図３】
2004272836.tif 000005
【図４】
2004272836.tif 000006
【図５】
2004272836.tif 000007